(57)【要約】【課題】防護柵の落石等を受け止める時の衝撃に応じられる、新規な支柱の構造を提案せんとする。【解決手段】基礎コンクリート６に埋設して固定植立する支柱３であって、柵２が衝撃を受け止める面側に位置する支柱３の衝突側面７Ａ、及び衝撃側面の背面側となる非衝突側面７Ｂに、基礎コンクリート６との間の上下にわたって弾性体８Ａ、８Ｂを介在して埋設固定したことを特徴とする。【選択図】図１
2004308302.tif 000002
【特許請求の範囲】
【請求項１】
基礎コンクリートに埋設して固定植立する支柱であって、柵が衝撃を受け止める面側に位置する支柱の衝突側面、及び衝撃側面の背面側となる非衝突側面に、基礎コンクリートとの間の上下にわたって弾性体を介在して埋設固定したことを特徴とする防護柵の支柱。
【請求項２】
衝突側面の弾性体は下方へ行くほど肉厚であり、非衝突側面の弾性体は上方へ行くほど肉厚である請求項１記載の防護柵の支柱。
【請求項３】
埋設する基礎コンクリートとの上端部と下端部に弾性体を介在させた請求項１記載の防護柵の支柱。
【請求項４】
基礎コンクリートに埋設して固定植立する支柱であって、基礎コンクリートとの上端部と下端部の周囲に弾性体を巻着したことを特徴とする防護柵の支柱。
【請求項５】
基礎コンクリートに埋設して固定植立する支柱であって、柵が衝撃を受け止める面に対して左右の面に位置する側面に、基礎コンクリートとの間の上下にわたって弾性体を介在させて埋設固定したことを特徴とする防護柵の支柱。
【請求項６】
支柱の設置時に、一連の柵の中央側に位置する中央側面の弾性体は上方へ行くほど肉厚で、端側に位置する端部側面の弾性体は下方へ行くほど肉厚とした請求項５記載の防護柵の支柱。
【請求項７】
埋設する基礎コンクリートとの上端部と下端部に弾性体を介在させた請求項５記載の防護柵の支柱。
【発明の詳細な説明】
【０００１】
【発明の属する技術分野】
本発明は、落石、土砂、雪、波等（以下、単に「落石」という）を防護する柵の支柱に関するものであり、詳しくは、落石等を受け止めた時に発生する支柱への衝撃を吸収できる支柱に関するものである。
【０００２】
【従来の技術】
落石等の防護柵は、落石等を受け止めた時の衝撃に耐えられるように強度の点で工夫がなされている。
そして、近年では柵の柔軟性を高める方がエネルギー吸収能力の高いことに着目し、支柱を強化し、特殊な金網や金具を用いる提案もされている。
【０００３】
又、支柱に関して、物理的な強化と共に、実用新案登録第２５６０８８５号のように、ゴム様弾性体を介して傾動可能に支柱を植立したものがあり、具体的には鋼製のカップ内に充填したゴム弾性体内に支柱を埋設した構成が開示されている。
【０００４】
【発明が解決しようとする課題】
落石等を受け止めた時の衝撃に耐える防護柵において、重要な構成部材の一つは支柱である。
そこで、本発明は防護柵の落石等を受け止める時の衝撃に応じられる、新規な支柱の構造を提案せんとするものである。
【０００５】
【課題を解決するための手段】
本発明防護柵は、基礎コンクリートに埋設して固定植立する支柱であって、柵が衝撃を受け止める面側に位置する支柱の衝突側面、及び衝撃側面の背面側となる非衝突側面に、基礎コンクリートとの間の上下にわたって弾性体を介在して埋設固定したことを特徴とするものである。
【０００６】
支柱への衝撃は、主に落石等の進行方向の前面と成る面と、その背面となる面における支柱の固定部分である埋設した基礎コンクリート部分と地上部分との境目に大きな衝撃を受ける。これは支柱の埋設固定部分が強固であることが一因であるため、支柱を傾動させると共に衝撃を弾性体で緩和吸収することにより、支柱の折曲を防止するものである。
そこで、衝撃を受ける方向に傾動すると共に、衝撃を吸収するのに必要な面にのみ弾性体を介在させたものである。
【０００７】
請求項２の発明は、衝突側面の弾性体は下方へ行くほど肉厚であり、非衝突側面の弾性体は上方へ行くほど肉厚としたものである。
固定部分である基礎コンクリート内でも衝撃を受ける大きさが異なるため、その大小に応じて弾性体の肉厚を変え、弾性体を効率良く配設したものである。
【０００８】
請求項３の発明は、埋設する基礎コンクリートとの上端部と下端部に弾性体を介在させたものである。
衝撃の吸収に最少限度の必要な部位である基礎コンクリートに埋設した支柱の上下部にのみ弾性体を配設したものである。
【０００９】
請求項４の発明は、基礎コンクリートに埋設して固定植立する支柱であって、基礎コンクリートとの上端部と下端部の周囲に弾性体を巻着したことを特徴とするものである。
落石等を直接受け止める支柱間の柵面より離れた柵面を支持する支柱や、連続した面一柵面となる両端又は両端近くに位置する支柱は、衝撃を受けた面の支柱の前後傾動に引っ張られて、その左右横方向にも力を受けるため、その左右横方向への傾動も可能とし、かつ衝撃を吸収するため弾性体を周囲に配設したものである。
【００１０】
請求項５の発明は、基礎コンクリートに埋設して固定植立する支柱であって、柵が衝撃を受け止める面に対して左右の面に位置する側面に、基礎コンクリートとの間の上下にわたって弾性体を介在させて埋設固定したものである。
請求項４と同様な目的で、一連の柵で端部又は端部近くに配置する専用の支柱として有効である。
【００１１】
請求項６の発明は、支柱の設置時に、一連の柵の中央側に位置する中央側面の弾性体は上方へ行くほど肉厚で、端側に位置する端部側面の弾性体は下方へ行くほど肉厚としたものであり、又請求項７の発明は、埋設する基礎コンクリートとの上端部と下端部に弾性体を介在させたものである。
請求項５の発明における、衝撃を受ける部位の大きさによって弾性体の肉厚を変えたり、最少限度必要な部位に弾性体を配設したものである。
【００１２】
【発明の実施の形態】
図１は本発明の請求項１の発明の一実施の形態を示す支柱の側面図であり、傾斜地１に沿って柵２が張設してあり、柵２は適宜間隔で立設した支柱３…間に、例えばロープや金網等を張設して傾斜地１から落下する土石４を受け止め、道路側５等へ転入するのを防止している。
【００１３】
支柱３は下部３Ａを基礎コンクリート６に埋設して植立固定してあり、かつ下部３Ａの傾斜地１に対面する衝突側面７Ａと、その背面側となる非衝突側面７Ｂに弾性体８Ａ、８Ｂが、埋設される下部３Ａの上・下に亘って基礎コンクリート６との間に介在して埋設されている。
【００１４】
弾性体８Ａ、８Ｂは各種ゴムを用いることができ、例えば車輌用のタイヤをリサイクルしたものでもよい。
弾性体８Ａ、８Ｂの厚みは、落下する土石の予想圧力や支柱３の強度等によって設定することとなる。
又、支柱３は角形鋼管、丸鋼管或いはＨ形鋼等適宜選択でき、特定形状に限定されるものではない。
【００１５】
図２は、請求項２の発明の一実施の形態を示す側面図であり、Ｈ形鋼の支柱３の衝突側面７Ａの弾性体９Ａの厚みが下方へ行くほど肉厚とし、非衝突側面７Ｂの弾性体９Ｂでは上方へ行くほど肉厚となっているものである。
【００１６】
図３は、請求項３の発明の一実施の形態を示す支柱３の側面図であり、支柱３はＨ形鋼を用い、下部３Ａの基礎コンクリート６に埋まる部分の衝突側面７Ａと非衝突側面７Ｂの上・下端部に弾性体１０Ａ、１０Ｂを当着したものであって、この状態で基礎コンクリート内に埋設して植設固定するものである。
弾性体８Ａ、８Ｂは、支柱３に対して必要により接着剤で積極的に接着してもよい。
【００１７】
図４は、請求項４の発明の一実施の形態を示す斜視図である。
丸鋼管を用いた支柱３は、基礎コンクリートに埋設する下部３Ａの上・下端部にリング状の弾性体１１を巻着したものである。巻着は弾性体１１の弾性を利用しても、積極的に接着剤を用いて接着してもよい。
【００１８】
図５は、請求項５の発明の一実施の形態を示す斜視図であり、角形鋼管を用いた支柱３を設置した時に、衝突側面７Ａ及び非衝突側面７Ｂに対して、左右の面に位置する側面７Ｃ、７Ｄに弾性体１２Ａ、１２Ｂを基礎コンクリートに埋設される下部３Ａの上下にわたって、当着又は介在させて基礎コンクリート内に植設固定するものである。
【００１９】
図６は、請求項６の発明の一実施の形態を示す正面図であり、図５における左右の面に位置する側面７Ｃ、７Ｄに当着又は介在させる弾性体１３Ａ、１３Ｂが、一方は上方へ行くほど肉厚に、他方は下方へ行くほど肉厚としたものである。
Ｈ形鋼管を用いた支柱３の設置位置によって、中央側及び端部側を選択して植設固定するものである。
【００２０】
図７は、請求項７の発明の一実施の形態を示す正面図であり、図５における側面７Ｃ、７Ｄの上・下端部に弾性体１４Ａ、１４Ｂを当着又は介在させて基礎コンクリート内に植設固定するものである。
【００２１】
【発明の効果】
以上のように、本発明は落石等が支柱に及ぼす衝撃を、支柱を傾動させて緩和させると共に弾性体により吸収するため、支柱の受けるダメージを小さく抑える効果を有するものである。
【００２２】
そして、弾性体は衝撃を吸収するのに必要な面及び上下範囲を選択し、又各面の上・下部位の衝撃の大小に応じて弾性体の肉厚を選択し、更に支柱の柵全体における立設位置に応じて、必要最少限の弾性体を当着又は介在して基礎コンクリート内に埋設できる効果を有する。
【００２３】
その結果、支柱自体は勿論、他の部材の軽量化、スリム化を達成し、耐用年数の長期化、維持修繕費の低減を図ることができるのである。
【図面の簡単な説明】
【図１】本発明の一実施の形態を示す側面図である。
【図２】本発明の他の実施の形態を示す側面図である。
【図３】本発明の支柱の一実施の形態を示す側面図である。
【図４】本発明の支柱の他の実施の形態を示す斜視図である。
【図５】本発明の支柱の他の実施の形態を示す斜視図である。
【図６】本発明の支柱の他の実施の形態を示す正面図である。
【図７】本発明の支柱の他の実施の形態を示す正面図である。
【符号の説明】
１  傾斜地
２  柵
３  支柱
３Ａ  支柱の下部
４  土石
５  道路側
６  基礎コンクリート
７Ａ  衝突側面
７Ｂ  非衝突側面
７Ｃ、７Ｄ  側面
８Ａ、８Ｂ、９Ａ、９Ｂ、１０Ａ、１０Ｂ、１１、１２Ａ、１２Ｂ、１３Ａ、１３Ｂ、１４Ａ、１４Ｂ  弾性体
【図１】
2004308302.tif 000003
【図２】
2004308302.tif 000004
【図３】
2004308302.tif 000005
【図４】
2004308302.tif 000006
【図５】
2004308302.tif 000007
【図６】
2004308302.tif 000008
【図７】
2004308302.tif 000009